(57)【要約】【課題】本発明は、農業用ビニールハウスを改良した温室内において、日中の晴天日は太陽熱をパッシブに導入し、曇天日及び夜間は燃焼熱による天井ふく射パネルからのふく射を照射して、室内を超低速で移動するベルトコンベヤー上のおが粉を乾燥を行う、昼夜両用の全天候型パッシブ太陽熱利用おが粉乾燥装置を提供する。【解決手段】ハウス内部にはベルトコンベヤー（往き）１１及びベルトコンベヤー（戻り）１２を配置し、往きコンベヤー１１及び戻りコンベヤー１２の上部には高温蒸気で加熱される固定式天井ふく射パネル１３及びスライド式天井ふく射パネル１４が設置されている。曇天日及び夜間は、往きコンベヤー１１上のスライド式天井ふく射パネル１４を南側にスライドさせて、これと戻りコンベヤー１２上の固定式天井ふく射パネル１３の両方に燃焼熱による高温蒸気を供給して、両ベルトコンベヤー１１，１２上を移動するおが粉のふく射乾燥が行われる。【選択図】図１
2008002794.tif 000002
【特許請求の範囲】
【請求項１】
農業用ビニールハウスを改良した長手方向を東西に向けた温室内において、往・復ベルトコンベヤー上で搬送されるおが粉を回転式おが粉撹拌スクレーパーにより撹拌して、日中は主に太陽熱により、夜間は木質燃料の燃焼熱によって連続的に乾燥させ、発生した湿り空気を断熱円筒のドラフトを利用してパッシブに排気し、相当分を吸気ダンパー及び吸排気シャッターの開放により外気を吸入しておが粉乾燥を行う全天候型パッシブ太陽熱利用おが粉乾燥装置であって、前記往・復ベルトコンベヤー上方に固定式天井ふく射パネル及びスライド式天井ふく射パネルを設置してなることを特徴とする全天候型パッシブ太陽熱利用おが粉乾燥装置。
【請求項２】
ハウス南側の往きコンベヤー上方にスライド式天井ふく射パネルを、ハウス北側の戻りコンベヤー上方に固定式天井ふく射パネルを設置してなることを特徴とする請求項１記載の全天候型パッシブ太陽熱利用おが粉乾燥装置。
【発明の詳細な説明】
【技術分野】
【０００１】
本発明は、農業用ビニールハウスを改良した温室内において、ベルトコンベヤー上で搬送されるおが粉を昼夜にかかわらず連続的に乾燥させ、おが粉乾燥を行う全天候型パッシブ太陽熱利用おが粉乾燥装置に関する。
【背景技術】
【０００２】
従来、おが粉など木質材料を木質ペレットに燃料化して用いる際に、木質ペレットに加工するにはおが粉を一定の低水分まで乾燥させなければならず、おが粉の乾燥が重要な工程である。
生のおが粉を乾燥するには大量の熱量を要し、現在石油を燃やして乾燥している。
従来技術の特徴
１)ロータリキルン式（バッチ式）
イ、機器設備費大、ロ、直下火（高温）は火災の危険、ハ、燃料費、電力費嵩む、ニ、大規模向き、ホ、製品のむら少ない。
２）吸引式（バッチ式）
イ、機器設備費大、ロ、おが粉ダストの発生、ハ、燃料費、電力費嵩む、ニ、大規模向き、ホ、製品のむら少ない。
【０００３】
その他に、汚泥やおから等のような水分率の高い物質を、太陽熱の蒸発作用と繊維質の搬送帯の毛管作用による脱水作用により、低コストで、補助燃料を用いることなく、乾燥する乾燥装置が知られている（特許文献１を参照）。
この公知技術は、太陽熱による温室内に、繊維質素材のコンベヤベルトを備えたベルトコンベヤーから成る乾燥台を設置し、該乾燥台に始端には汚泥等の水分率の高い物質の供給ホッパーを臨ましめると共に、前記乾燥台の終端付近には被乾燥物の受け箱を設置し、前記乾燥台の下方には透過液受け皿を配設した乾燥装置である。
本出願人は、農業用ビニールハウスを改良した温室内において、往・復ベルトコンベヤー上で搬送されるおが粉を回転式おが粉撹拌スクレーパーにより撹拌して、日中は主に太陽熱により、夜間は木質燃料の燃焼熱によって連続的に乾燥させ、発生した湿り空気を断熱円筒のドラフトを利用してパッシブに排気し、相当分を吸気ダンパー及び吸排気シャッターの開放により外気を吸入しておが粉乾燥を行う完全パッシブ太陽熱利用おが粉乾燥装置を開発し、特願２００６−１７４６７３号を出願した。
本発明は、完全パッシブ太陽熱利用おが粉乾燥装置を基本とするもので、当該装置を強化することにより日中のみでなく夜間にも対応できる全天候型パッシブ太陽熱利用おが粉乾燥装置であって、上記特願２００６−１７４６７３号をさらに改良したものである。
【０００４】
【特許文献１】特開平５−１８５０９８号公報
【発明の開示】
【発明が解決しようとする課題】
【０００５】
本発明は、農業用ビニールハウスを改良した温室内において、日中の晴天日は太陽熱をパッシブに導入し、曇天日及び夜間は燃焼熱による天井ふく射パネルからのふく射を照射して、室内を超低速で移動するベルトコンベヤー上のおが粉を乾燥し、発生した湿り空気を断熱円筒のドラフトを利用してパッシブに排気し、相当分を吸気ダンパー及び吸排気シャッターの開放により外気を吸入しておが粉乾燥を行う、昼夜両用の全天候型パッシブ太陽熱利用おが粉乾燥装置を提供することを目的とする。
【課題を解決するための手段】
【０００６】
本発明の全天候型パッシブ太陽熱利用おが粉乾燥装置は、農業用ビニールハウスを改良した長手方向を東西に向けた温室内において、往・復ベルトコンベヤー上で搬送されるおが粉を回転式おが粉撹拌スクレーパーにより撹拌して、日中は主に太陽熱により、夜間は木質燃料の燃焼熱によって連続的に乾燥させ、発生した湿り空気を断熱円筒のドラフトを利用してパッシブに排気し、相当分を吸気ダンパー及び吸排気シャッターの開放により外気を吸入しておが粉乾燥を行う全天候型パッシブ太陽熱利用おが粉乾燥装置であって、前記往・復ベルトコンベヤー上方に固定式天井ふく射パネル及びスライド式天井ふく射パネルを設置してなるものである。
【０００７】
ハウス南側の往きコンベヤー上方にスライド式天井ふく射パネルを、ハウス北側の戻りコンベヤー上方に固定式天井ふく射パネルを設置してなるものである。
【発明の効果】
【０００８】
本発明の全天候型パッシブ太陽熱利用おが粉乾燥装置は、完全パッシブ太陽熱利用おが粉乾燥装置を基本とするもので、当該装置を強化することにより日中のみでなく夜間にも対応できる全天候型の乾燥装置で、そのために天井ふく射パネルは往きのコンベヤー上と戻りのコンベヤー上の両方に設置して装置の能力及び稼働率を上げたものである。
【０００９】
本発明の全天候型パッシブ太陽熱利用おが粉乾燥装置は、完全パッシブ太陽熱利用おが粉乾燥装置に示す小型ハウス（長さ１５ｍ）のものとほぼ同じであるが、夜間も使用できるので稼働率が上がって、その分、乾燥おが粉生産能力が増大する。
【００１０】
本発明の全天候型パッシブ太陽熱利用おが粉乾燥装置のエネルギー消費は天井ふく射パネルが倍増するので、蒸気消費量が２倍になるほかは、電力消費は変わらず、全体で１０００Ｗ以下の省電力型である。
（１）通年使用に耐える全天候型の乾燥装置。
（２）したがって設備費の償却が早い。
（３）乾燥装置内に火源がないので火災の心配がない。
ほか、完全パッシブ太陽熱利用おが粉乾燥装置と同じ特徴を有する。
【発明を実施するための最良の形態】
【００１１】
本発明の全天候型パッシブ太陽熱利用おが粉乾燥装置の一実施例を添付図面に基づいて、以下に説明する。
図１の正面図、図２の平面図に示すように、乾燥装置本体１は長手方向を東西に向け、全体が二重透明フイルム２で覆われ、二重透明フイルム２のハウス内側には人力で開閉する可動式の反射性遮熱シート３が備えられた蒲鉾型の温室構造である。
屋根面４及び南面５の二重透明フイルム２からはこれを透過した日射が十分に入射するが、夜間は屋根面４及び南北面５，６に内側から反射性遮熱シート３が降ろされ、ハウス内側を反射性遮熱シート３で被いハウス内からの放熱を抑制するようにしてある。
ハウス北面６の外部にパッシブ排気をつかさどる排気ダンパーＤ２付の断熱円筒７を直立に外付けし、手前西面８及び奥側東面９には吸気ダンパーＤ１及び吸排気シャッターＳ１をそれぞれ取り付けてある。
また、西面８には搬入搬出用の出入口１０を有する。
なお、ＴＲは温度センサー、ＨＲは湿度センサー、ＴＰは天井ふく射パネル温度計である。
【００１２】
ハウス寸法は間口４．５mで、長さ１５〜１７mで、高さは約３．０〜３．５mである。
ハウス内部には長さ１０m、幅９００mmのベルトコンベヤー（往き）１１を１台及びベルトコンベヤー（戻り）１２を１台の計２台を配置し、往きコンベヤー１１及び戻りコンベヤー１２の上部には高温蒸気で加熱される固定式天井ふく射パネル１３及びスライド式天井ふく射パネル１４が設置されている。
天井ふく射パネル１３、１４の用法について、戻りコンベヤー１２上の固定式天井ふく射パネル１３は日中に使用し、常にコンベヤー上６００mmの高さに吊下げ固定設置されている。
一方、往きコンベヤー１１上のスライド式天井ふく射パネル１４は夜間（曇天日を含む）に使用するもので、往きコンベヤー１１の上６００mmの高さに吊り下げ設置され、南北方向にスライド可能になっている。
日中は往きコンベヤー１１上への日射の透過に支障のないように当該スライド式天井ふく射パネル１４を北側に最大６００mmまでスライドできる。
ここで、ベルトコンベヤー１１，１２の速度は１０m/h（=０．１６７m/min）の超低速である。
【００１３】
往きコンベヤー１１上のスライド式天井ふく射パネル１４のスライド操作に対応した当該スライド式天井ふく射パネル１４の設置枠組みを図３に示す。
図３（ａ）の左側面図及び図３（ｂ）の平面図に示すように、往きコンベヤー１１及び戻りコンベヤー１２を囲む矩形のフレームＦにより天井ふく射パネル吊り枠１５が上方に設置され、スライド式天井ふく射パネル１４が前記天井ふく射パネル吊り枠１５に南北方向にスライド可能に吊り下げられ、また固定式天井ふく射パネル１３がフレームＦに吊下げ固定設置される。
天井ふく射パネル１３，１４は、ベルトコンベヤー１１，１２に沿って東西方向にそれぞれ直列に２基設置され、各天井ふく射パネル１３，１４の近接部分に供給ヘッダー１６及び回収ヘッダー１７を有し、両端部分に中間ヘッダー１８を備え、高温の蒸気は供給ヘッダー１６から、蒸気管（往き）１９、中間ヘッダー１８、蒸気管（戻り）２０、回収ヘッダー１７へとＵターンして循環するように構成される。
天井ふく射パネル１３，１４には、外部の温水ボイラー（図示せず）からの燃焼熱による高温蒸気（約１５０℃）がフレキシブル蒸気管２１を介して供給ヘッダー１６に供給され、供給ヘッダー１６から蒸気管（往き）１９へそれぞれ分配され、中間ヘッダー１８を介して再び蒸気管（戻り）２０から回収ヘッダー１７へ戻され、フレキシブル蒸気管２１を介して温水ボイラー（図示せず）に戻される。
【００１４】
夜間使用に備えて蒸気管を４本に増強した天井ふく射パネル１３，１４を図４に示す。
図４（ａ）の下方から見た底面図及び図４（ｂ）のａ−ａ矢視断面図に示すように、４本の蒸気管１９，２０を鋼板製の放熱板２２にスポット溶接により並列に配管し、前記放熱板２２は天吊りジグ２３により天井ふく射パネル吊り枠１５に固定される。
２本の往き蒸気管１９を供給ヘッダー１６に接続し、残り２本の戻り蒸気管２０を回収ヘッダー１７に接続し、供給ヘッダー１６及び回収ヘッダー１７の反対側の往き蒸気管１９及び戻り蒸気管２０を中間ヘッダー１８に接続する。
したがって、フレキシブル蒸気管２１から供給された高温蒸気は、供給ヘッダー１６から往き蒸気管１９、往き蒸気管１９から中間ヘッダー１８、中間ヘッダー１８から戻り蒸気管２０、戻り蒸気管２０から回収ヘッダー１７へとＵターンするように循環し、フレキシブル蒸気管２１へ戻る。
【００１５】
図５に切り返しターンテーブル２４の詳細を示す。
図５（ａ）の平面図及び図５（ｂ）の側面図に示すように、集成材合板２５にゴム天板２６を貼着した円盤２７を設け、該円盤２７の中心の回転軸２８を回転軸受け２９により回転自在に支承する。
さらに、前記円盤２７の下面周縁にリング状ゴム板３０を貼着し、該リング状ゴム板３０に接する回転ローラー３１を３個所に配置して前記円盤２７を支持し、同様にリング状ゴム板３０に接する駆動ローラー３２を配置して減速機３３を介してモーター３４の駆動力を伝達する。
前記モーター３４、減速機３３を介して駆動ローラー３２により切り返しターンテーブル２４はゆっくり右回りに回転しており、ベルトコンベヤー（往き）１１からの半生おが粉を図２に示すおが粉受け・フイーダー３５から受け取る。
そして、図２に示すスクレーパー３６によりベルトコンベヤー（戻り）１２始点のおが粉受け・フイーダー３５に投入され、おが粉受け・フイーダー３５から再びベルトコンベヤー（戻り）１２に一定厚さで供給される。
ベルトコンベヤー（戻り）１２では、固定式天井ふく射パネル１３からの放射を受けてふく射乾燥された後、ベルトコンベヤー（戻り）１２の終点で乾燥おが粉となってＲホッパー３７に収納される。
【００１６】
図６に回転式おが粉撹拌スクレーパー３８の詳細を示す。
図６（ａ）の側面図及び図６（ｂ）の平面図に示すように、前記回転式おが粉撹拌スクレーパー３８は、軸受け３９に回転自在に軸支され、前記往・復移動するベルトコンベヤーの横断方向に架橋した回転軸４０と、該回転軸４０の放射方向に延設した複数の羽根板４１と、該各羽根板４１の先端に前記往・復移動するベルトコンベヤーの進行方向と対向するように設けた爪４２とから構成される。
図６（ａ）の側面図に示すように、おが粉がベルトコンベヤー（往き）１１又はベルトコンベヤー(戻り)１２を移動する際、回転式おが粉撹拌スクレーパー３８をベルトコンベヤー上に長さ１０ｍのコンベヤー１台に１〜２か所に取り付けて、回転式おが粉撹拌スクレーパー３８をベルトコンベヤー（往き）１１又はベルトコンベヤー(戻り)１２の進行方向と逆方向に回転させておが粉の攪拌を行い、おが粉乾燥を促進させる。
すなわち、回転式おが粉撹拌スクレーパー３８の爪４２で前進おが粉を掬い上げ、回転に伴っておが粉を羽根板４１に載せ、上死点を超えるとおが粉は重力によって前方の羽根板４１の裏面側に落下、堆積し、さらに回転することで後進おが粉としてベルトコンベヤー（往き）１１又はベルトコンベヤー(戻り)１２に移し替えることにより、おが粉は撹拌される。
なお、４３は回転式おが粉撹拌スクレーパー３８が回転する際にベルトコンベヤー（往き）１１又はベルトコンベヤー(戻り)１２の両サイドからおが粉がこぼれないようにするために設けたおが粉こぼれ止めガイドである。
【００１７】
次に、本発明の全天候型パッシブ太陽熱利用おが粉乾燥装置の操作動作を添付図面に基づいて、以下に説明する。
日中は、往きコンベヤー１１の始点にＳホッパー４４を、戻りコンベヤー１２の終点にはＲホッパー３７を置き、始点ではＳホッパー４４に満たされた生おが粉が供給口のフィーダー（図示せず）から超低速で移動する往きコンベヤー１１に一定の厚さで供給され、往きはスライド式天井ふく射パネル１４が北側にスライドしているので、二重透明フイルム２を透過してくる直射日射を受けて乾燥する。
往きコンベヤー１１の終点には往きのおが粉受け・フイーダー３５があり、おが粉は一度これに受け取られてから切り返しターンテーブル２４に移される。
切り返しターンテーブル２４はゆっくり右回りに回転しており、往きコンベヤー１１からの半生おが粉を受け取り、これをスクレーパー３６により戻りコンベヤー１２始点のおが粉受け・フイーダー３５に掻き落して、半生おが粉が再びおが粉受け・フイーダー３５から戻りコンベヤー１２に一定厚さで供給される。
戻りコンベヤー１２上で半生おが粉は固定式天井ふく射パネル１３からの放射を受けてふく射乾燥された後、戻りコンベヤー１２の終点で乾燥おが粉となってＲホッパー３７に回収される。
【００１８】
おが粉が往きコンベヤー１１及び戻りコンベヤー１２を移動する際、回転式おが粉撹拌スクレーパー３８をベルトコンベヤー上の１〜２所に取り付けて移動中のおが粉の撹拌を行い、おが粉乾燥を促進させる。
この間、日中はハウスに入射する日射により高温、低湿度になった室内空気がハウス上部に設置された室内ファンＦ１−１〜Ｆ１−４で循環され、ベルトコンベヤー１１，１２上を移動するおが粉を太陽熱によって対流乾燥を行う。
夜間は、ハウス床面のコンクリート土間に埋め込まれた床暖パネル４５に外部の温水ボイラー（図示せず）からの燃焼熱による温水が供給され、床暖パネル４５からのふく射と対流によって室内空気の温度を上昇させる。
【００１９】
曇天日及び夜間は、往きコンベヤー１１上のスライド式天井ふく射パネル１４を南側にスライドさせて、これと戻りコンベヤー１２上の固定式天井ふく射パネル１３の両方に燃焼熱による高温蒸気（約１５０℃）を供給して、両ベルトコンベヤー１１，１２上を移動するおが粉のふく射乾燥が行われる。
天井ふく射パネル１３，１４及び床暖パネル４５からの放熱で高温、低湿度になった室内空気は、ハウス上部に設置された室内ファンＦ１−１〜Ｆ１−４で循環されて、天井ふく射パネル１３，１４及び床暖パネル４５からのふく射に加えて、ベルトコンベヤー１１，１２上のおが粉を対流で乾燥する。
【００２０】
さらに、おが粉の乾燥工程において、回転式おが粉攪拌スクレーパー３８をベルトコンベヤー１１，１２上の途中に長さ１０ｍのコンベヤー１台に１〜２か所に設置して、おが粉攪拌を行って乾燥を促進させる。
夜間（日照不足の日中を含む）の室温維持のために、外付けの木質燃料ボイラー（図示せず）を蒸気用１台及び温水用１台設備し、蒸気は天井ふく射パネル１３、１４に、温水は床暖パネル４５に供給して日中同様に直接のふく射乾燥を行うと同時に、ふく射と対流で室温を維持して対流乾燥を促進させる。
【図面の簡単な説明】
【００２１】
【図１】本発明の全天候型パッシブ太陽熱利用おが粉乾燥装置の正面図である。
【図２】本発明の全天候型パッシブ太陽熱利用おが粉乾燥装置の平面図である。
【図３】スライド式天井ふく射パネルの設置枠組みを示す（ａ）左側面図、（ｂ）平面図である。
【図４】天井ふく射パネルの（ａ）下方から見た底面図、（ｂ）ａ−ａ矢視断面図である。
【図５】切り返しターンテーブルの（ａ）平面図、（ｂ）側面図である。
【図６】回転式おが粉撹拌スクレーパーの（ａ）側面図、（ｂ）平面図である。
【符号の説明】
【００２２】
１  乾燥装置本体
２  二重透明フイルム
３  反射性遮熱シート
４  屋根面
５  南面
６  北面
７  断熱円筒
８  西面
９  東面
１０  出入り口
１１  往きベルトコンベヤー
１２  戻りベルトコンベヤー
１３  固定式天井ふく射パネル
１４  スライド式天井ふく射パネル
１５  天井ふく射パネル吊り枠
１６  供給ヘッダー
１７  回収ヘッダー
１８  中間ヘッダー
１９  往き蒸気管
２０  戻り蒸気管
２１  フレキシブル蒸気管
２２  放熱板
２３  天吊りジグ
２４  切り返しターンテーブル
２５  集成材合板
２６  ゴム天板
２７  円盤
２８  回転軸
２９  回転軸受け
３０  リング状ゴム板
３１  回転ローラー
３２  駆動ローラー
３３  減速機
３４  モーター
３５  おが粉受け・フイーダー
３６  スクレーパー
３７  Ｒホッパー
３８  回転式おが粉撹拌スクレーパー
３９  軸受け
４０  回転軸
４１  羽根板
４２  爪
４３  ガイド
４４  Ｓホッパー
４５  床暖パネル
【図１】
2008002794.tif 000003
【図２】
2008002794.tif 000004
【図３】
2008002794.tif 000005
【図４】
2008002794.tif 000006
【図５】
2008002794.tif 000007
【図６】
2008002794.tif 000008
【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
農業用ビニールハウスを改良した長手方向を東西に向けた温室内において、二重透明フイルムにより構成される蒲鉾型の透明温室を設置し、床暖パネルを埋設したコンクリート土間の上に前記透明温室の長手方向に沿って２列のベルトコンベヤーを並列に設置し、西側には一方のベルトコンベヤーの終端側となる受けホッパーと他方のベルトコンベヤーの始端側となる投入ホッパーを設け、東側には前記二つのベルトコンベヤー間を連繋する切り返しターンテーブルを設け、前記他方のベルトコンベヤーの終端側でおが粉を前記切り返しターンテーブルへ移し替えするおが粉受け・フイーダと、前記切り返しターンテーブルから一方のベルトコンベヤーの始端側へおが粉を移し替えするおが粉受け・フイーダと、また前記投入ホッパーを前記受けホッパーより高位に設け、前記一方のベルトコンベヤーと前記他方のベルトコンベヤーをそれぞれ逆傾斜に配置し、重力と回転力を利用して前記切り返しターンテーブルから移し替え、その際混合作用を行わせるように形成し、前記往・復ベルトコンベヤー上方に固定式天井ふく射パネル及びスライド式天井ふく射パネルを設置し、前記透明温室の北側に直立に外付け設置された断熱円筒の強力なドラフトを利用して温室内の給排気をパッシブ換気してなることを特徴とする全天候型パッシブ太陽熱利用おが粉乾燥装置。
【請求項２】
前記二重透明フイルムの内側に、昼間は太陽熱パッシブ集熱のために開放し、夜間は放熱を防止するために遮閉する開閉式遮熱シートを設け、ハウス南側の往きコンベヤー上方にスライド式天井ふく射パネルを、ハウス北側の戻りコンベヤー上方に固定式天井ふく射パネルを設置してなることを特徴とする請求項１記載の全天候型パッシブ太陽熱利用おが粉乾燥装置。
【手続補正２】
【補正対象書類名】明細書
【補正対象項目名】０００６
【補正方法】変更
【補正の内容】
【０００６】
本発明の全天候型パッシブ太陽熱利用おが粉乾燥装置は、農業用ビニールハウスを改良した長手方向を東西に向けた温室内において、二重透明フイルムにより構成される蒲鉾型の透明温室を設置し、床暖パネルを埋設したコンクリート土間の上に前記透明温室の長手方向に沿って２列のベルトコンベヤーを並列に設置し、西側には一方のベルトコンベヤーの終端側となる受けホッパーと他方のベルトコンベヤーの始端側となる投入ホッパーを設け、東側には前記二つのベルトコンベヤー間を連繋する切り返しターンテーブルを設け、前記他方のベルトコンベヤーの終端側でおが粉を前記切り返しターンテーブルへ移し替えするおが粉受け・フイーダと、前記切り返しターンテーブルから一方のベルトコンベヤーの始端側へおが粉を移し替えするおが粉受け・フイーダと、また前記投入ホッパーを前記受けホッパーより高位に設け、前記一方のベルトコンベヤーと前記他方のベルトコンベヤーをそれぞれ逆傾斜に配置し、重力と回転力を利用して前記切り返しターンテーブルから移し替え、その際混合作用を行わせるように形成し、前記往・復ベルトコンベヤー上方に固定式天井ふく射パネル及びスライド式天井ふく射パネルを設置し、前記透明温室の北側に直立に外付け設置された断熱円筒の強力なドラフトを利用して温室内の給排気をパッシブ換気してなるものである。
【手続補正３】
【補正対象書類名】明細書
【補正対象項目名】０００７
【補正方法】変更
【補正の内容】
【０００７】
前記二重透明フイルムの内側に、昼間は太陽熱パッシブ集熱のために開放し、夜間は放熱を防止するために遮閉する開閉式遮熱シートを設け、ハウス南側の往きコンベヤー上方にスライド式天井ふく射パネルを、ハウス北側の戻りコンベヤー上方に固定式天井ふく射パネルを設置してなるものである。
【手続補正４】
【補正対象書類名】明細書
【補正対象項目名】０００８
【補正方法】変更
【補正の内容】
【０００８】
本発明の全天候型パッシブ太陽熱利用おが粉乾燥装置は、完全パッシブ太陽熱利用おが粉乾燥装置を基本とするもので、当該装置を強化することにより日中のみでなく夜間にも対応できる全天候型の乾燥装置で、そのために天井ふく射パネルは往きのコンベヤー上と戻りのコンベヤー上の両方に設置し、かつ日中は遮熱シートを開放し、夜間は遮熱シートを遮閉することにより、装置の能力及び稼働率を上げたものである。